(57)【要約】【課題】自身の口腔内の様子を、別途手鏡を要することなく自ら容易に視認可能とし、また、鏡の角度調整を容易に行いうる構成とした、使用者にとって利便性を高めた口腔鏡を提供する。【解決手段】  摺動自在な入れ子構造とした外筒と内筒からなるアームの一端に、自在連結部を設けた支持軸を介して挿入鏡を設け、該アームの他端に、自在連結部を設けた支持手段を介して反射鏡を設けた口腔鏡であって、前記挿入鏡を設けた側のアーム端部に前記反射鏡を照らす発光手段を、前記アーム内に該発行手段のための電源部を夫々備えたことを特徴とする。【選択図】図１
2008220606.tif 000002
【特許請求の範囲】
【請求項１】
摺動自在な入れ子構造とした外筒と内筒からなるアームの一端に、自在連結部を設けた支持軸を介して挿入鏡を設け、該アームの他端に、自在連結部を設けた支持手段を介して反射鏡を設けた口腔鏡であって、前記挿入鏡を設けた側のアーム端部に前記反射鏡を照らす発光手段を、前記アーム内に該発行手段のための電源部を夫々備えたことを特徴とする口腔鏡。
【請求項２】
内筒の外周側面へ、軸心方向に示した伸縮目盛を設け、および／または、外筒の挿入鏡側端部外周上へ、円周方向に示した回転目盛を設けたことにより、外筒と内筒からなるアームの長さ調整、および／または、外筒と内筒の回転角度調整を可能としたことを特徴とする請求項１に記載の口腔鏡。
【請求項３】
前記支持軸に補助軸を併設し、該補助軸一端を挿入鏡裏面に設けた補助軸係合部に係止し、該補助軸他端は内筒内に設けた角度調整手段へ止着し、調整ツマミにより挿入鏡の角度を調整することを特徴とする請求項１又は請求項２に記載の口腔鏡。
【発明の詳細な説明】
【技術分野】
【０００１】
本発明は、挿入鏡面に映る自身の口腔内の反射像を反射鏡により自ら観察可能な口腔鏡に関するものである。
【背景技術】
【０００２】
従来、一つの器具で自分自身の口腔内の状態を片手で観察できる、二面鏡型歯鏡が知られている（特許文献１参照。）。
また、鏡の直前に光源である電球を近設した携帯用の検歯鏡が公知となっている（特許文献２参照。）。
【特許文献１】特開２００１−８８９４号公報
【特許文献２】特開平１０−２４０１６号公報
【発明の開示】
【発明が解決しようとする課題】
【０００３】
上記特許文献１に記載の技術によると、自在継手４を介してアーム１と連結する観察用鏡Ｂは独自に旋回等するが、口腔内挿入用の鏡Ａがアーム１に固定されていることから、使用時に、鏡Ａ単独の微妙な角度調整ができない。よって、アーム全体を動かさざるを得なくなる結果、可動する鏡Ｂの角度を更に調整する必要がある。
【０００４】
更に、上顎の喉下近傍を観察するには、鏡Ａの仰角を一層大きくする必要があり、口腔内の様子をくまなく観察上記文献１に記載の技術では対応が困難である。
【０００５】
また、上記特許文献２に記載の技術によると、自分自身で口腔内の様子を観察するには、もう一つ別に鏡を準備する必要があった。
【０００６】
更に、上記特許文献１の技術に係る歯鏡のアーム１、上記特許文献２の技術に係る歯鏡の握り柄７の長さは一定であること、前者鏡Ａがアームに対して、後者鏡が握り柄７に対して所定の仰角で取り付けられていることから、収納時に嵩張る点も指摘されていた。
【０００７】
本発明は、上記の改善点に鑑みて為されたものであり、光源を備えた他、更に使い勝手を良くするために、使用者の身体的特徴に合わせてアームの伸縮および回転を可能とする口腔鏡を提供することを課題とする。
【課題を解決するための手段】
【０００８】
上記課題を解決するために、本発明は次の構造とした。即ち、請求項１に記載の口腔鏡は、摺動自在な入れ子構造とした外筒と内筒からなるアームの一端に、自在連結部を設けた支持軸を介して挿入鏡を設け、該アームの他端に、自在連結部を設けた支持手段を介して反射鏡を設けた口腔鏡であって、前記挿入鏡を設けた側のアーム端部に前記反射鏡を照らす発光手段を、前記アーム内に該発行手段のための電源部を夫々備えたことを特徴とする。
【０００９】
請求項２に記載の口腔鏡は、請求項１に記載の構造において、内筒の外周側面へ、軸心方向に示した伸縮目盛を設け、および／または、外筒の挿入鏡側端部外周上へ、円周方向に示した回転目盛を設けたことにより、外筒と内筒からなるアームの長さ調整、および／または、外筒と内筒の回転角度調整を可能としたことを特徴とする。
【００１０】
請求項３に記載の口腔鏡は、請求項１又は請求項２に記載の構造において、前記支持軸に補助軸を併設し、該補助軸一端を挿入鏡裏面に設けた補助軸係合部に可動可能に係止し、該補助軸他端は内筒内に設けた角度調整手段へ止着し、調整ツマミにより角度調整することを特徴とする。
【発明の効果】
【００１１】
請求項１に記載の口腔鏡によれば、挿入鏡面に映る自身の口腔内の反射像を、反射鏡によって自ら観察可能となるとともに、光源により明るい視野で観察できる。また、自在連結部により挿入鏡、反射鏡を夫々任意の角度に変更させることができるため、微妙な位置合わせに対応が可能となり、伸縮、回転可能なアームを採用した点により、一層、使用者の利便性を高めることが可能となった。
【００１２】
また、請求項２に記載の構造によれば、使用者ごとに伸縮や回転の度合いを明確に把握することが可能となる。
【００１３】
また、請求項３に記載の構造によれば、アーム上の調整ツマミを操作することで、容易に挿入鏡の角度を変更させることが可能となる。
【００１４】
更に、挿入鏡、反射鏡を夫々折り畳むことが可能なことから、収納時に嵩張らないという利点がある。
【発明を実施するための最良の形態】
【００１５】
〔第一の実施形態〕
以下、本発明の第一の実施形態を図面に基づいて説明する。
図１は本発明の口腔鏡を示す斜視図、図２はジョイント部を示す断面図、図３は自在連結部を示す説明図、図４（ａ）は電源部の説明図、図５は伸縮目盛・回転目盛を示した説明図である。
電源部の説明図
【００１６】
図中、１はアーム、２は挿入鏡、３は反射鏡、４は発光手段、５は電源部、１１は外筒、１２は内筒、１３はジョイント部、２１は支持軸、３１は支持手段、５１はＡホルダー、５２はＢホルダー、１１１、１２１はキャップ、２１１、３１１は自在連結部、５１１はスイッチ、５１２は電池、５１３は軸芯、５２１は軸芯孔、Ｓは切れ込みである。
【００１７】
外筒１１、内筒１２、支持軸２１、支持手段３１、自在連結部２１１、３１１は、アクリル樹脂、ポリプロピレン、塩化ビニル、ポリエチレンテレフタレートといった熱可塑性樹脂など汎用性プラスチックを夫々射出成形加工して得られる。
【００１８】
また、ジョイント部１３およびキャップ１１１、１２１は、ポリ塩化ビニルなどの汎用樹脂を使用する。添加剤を加えることにより上記汎用性プラスチックより軟質に成形する。
【００１９】
本実施形態に係る口腔鏡（図１）の構成について説明する。
本実施形態に係る口腔鏡は、外筒１１及び内筒１２とからなるアーム１、挿入鏡２、反射鏡３とからなる。以下、詳述する。
【００２０】
アーム１は、ジョイント部１３を介して外筒１１と入れ子構造をなす内筒１２とからなる（図２）。硬質の素材を用いて成型された内筒１２と軟質の素材を用いて成型されたジョイント部１３の素材の相違により、適度な摩擦抵抗をもって安定した伸縮および回転動作が得られる。
【００２１】
挿入鏡２は、支持軸２１ｂと一体的に成型された該挿入鏡大の鏡面支持部に貼着され、該支持軸２１ｂは支持軸２１ａと自在連結部２１１に嵌合し、支持軸２１ａはキャップ１２１に固定されている。挿入鏡２は横楕円形とし、平面鏡のほか、凸面鏡としてもよい。
【００２２】
自在連結部２１１は支持軸２１ａと一体的に成型され、支持軸２１ｂの端部の球状凸部と嵌合する球状の凹形状をなす。これにより、支持軸２１ｂは回転自在となる。図３（ａ）に示すように、自在連結部２１１の球状凹部には、支持軸２１ｂを折り畳む際に該軸が嵌合するようにＵ字状の切れ込みＳが設けられている。
【００２３】
反射鏡３は、支持手段３１ｂと一体的に成型された該反射鏡大の鏡面支持部に貼着され、該支持手段３１ｂは支持手段３１aと一体成型された自在連結部３１１に嵌合し、支持手段３１ａは外筒１１を握持する。反射鏡３は円形若しくは楕円形とし、挿入鏡２より鏡面が大きいものとする。
【００２４】
自在連結部３１１は、支持手段３１ａと一体に成型され、支持３１ｂの端部の球状凸部と嵌合する球状の凹形状をなす。これにより、支持軸３１ｂは回転自在となる。図３（ｂ）に示すように、自在連結部３１１の球状凹部には、支持軸３１ｂを折り畳む際に該軸が嵌合するように、Ｕ字状の切れ込みＳが設けられている。
【００２５】
発光手段４は、ＬＥＤやその他電球等によるが、発光寿命を考慮するとＬＥＤが好ましい。本実施例においてはφ５ｍｍの白色ＬＥＤを使用する。
【００２６】
図４（ａ）に基づいて、電源部５について説明する。
電源部５は、電池５１２を収納する筒状のＡホルダー５１と、ＬＥＤ４と電気的に結合された円柱状のＢホルダー５２とからなる。Ａホルダー５１にはスイッチ５１１が一体成型され、電極のプラス側、マイナス側から夫々軸芯５１３を突設加工してなる。Ｂホルダー５２は２つの軸心孔５２１を具備し、該孔内に金属筒（図示せず）を設け、ＬＥＤのアノードとカノードが各孔内の各金属筒に通電可能に接合されている。
軸心５１３は軸芯孔５２１と嵌脱自在であり、軸心５１３が軸心孔５２１へ嵌入すると電源がＯＮとなりＬＥＤが発光する。また、軸芯５１３が軸心孔５２１から抜けると電源がＯＦＦとなりＬＥＤが消灯する。電源のＯＮ／ＯＦＦの操作は、内筒１２から突出したスイッチ５１１を指でＡホルダー５１を内筒１２内で前後に摺動させることにより行う。
【００２７】
伸縮目盛Ａにより内筒１２の伸縮度合いを測り、回転目盛Ｂにより回転度合いを測る（図５）。このように目盛Ａ、Ｂを利用することで、使い勝手をより良くする。
例えば、近視の人は短く、老眼の人は長く内筒１２を調整して利用する必要があるところ、使用者の視力に応じて伸縮目盛Ａを利用して長さ調整をすることができる。一方、回転目盛Ｂについては、口腔内所定の位置に対応させて回転目盛を決定しておくとで、利用の便に供することとなる。
尚、該目盛Ａ、Ｂの両方を兼ね備えた口腔鏡、あるいは、いずれか一方の目盛を備えた口腔鏡とすることが可能である。
【００２８】
また、図示しないが、支持軸２１ｂに角度調整ツマミを設けてもよく、これにより挿入鏡２の位置合わせが容易となる。
【００２９】
〔第二の実施形態〕
以上、本発明の実施の形態について説明したが、この発明は上記の実施形態に限定されるものではない。以下に、第二の実施形態として、上記実施形態の変形例を示す。
【００３０】
図４（ｂ）は電源部の説明図、図６は本発明の異なる実施形態の口腔鏡を示す斜視図である。
【００３１】
図中、２３は補助軸、２４は補助軸係合部、２５は角度調整手段、２６は調整ツマミ、２３１は補助軸受、５３はＣホルダーである。図中に表れるその他の符合は、上記第一の実施形態と同一の対象を表す。
【００３２】
本実施の形態による口腔鏡は、挿入鏡２の角度を補助軸２３により調整するものである。
補助軸２３の一端は、挿入鏡２の裏面に一体的に形成した補助軸係合部２４に係合し、自在連結部に設けた補助軸受２３１を挿通して、他端は内筒１２内に設けた角度調整手段２５を構成するツマミ２６に止着する。該調整ツマミ２６を軸心方向に前後へ動かすことで、補助軸２３を押し出したり、引き込んだりすることで、支持軸２１ｂの角度を調整することが可能となる。前記角度調整手段は、段階式或いは無段階式のいずれでも良い。
【００３３】
図４（ｂ）に示すように、本実施の形態による口腔鏡の電源部５は外筒１１の端部に設けられ、スイッチ５１１により電源のＯＮ／ＯＦＦを操作する。基本的構造は、上記実施形態と同様である。
電源部５は、電池５１２を収納する筒状のＡホルダー５１と、ＬＥＤ４と電気的に結合された円柱状のＢホルダー５２及び後述の円柱状のＣホルダー５３とからなる。
Ａホルダー５１にはスイッチ５１１が一体成型され、電極のプラス側、マイナス側から夫々軸芯５１３を突設加工してなる。また、本実施の形態においては、ＬＥＤ側にＣホルダー５３を設けて、ＬＥＤのアノードとカノードを接合し、外筒１１及び内筒１２内を導電線により、Ｂホルダー５２の軸心孔５２１内の金属筒（図示せず）と通電可能に接合されている。
軸心５１３は軸芯孔５２１と嵌脱自在であり、軸心５１３が軸心孔５２１へ嵌入すると電源がＯＮとなりＬＥＤが発光する。また、軸芯５１３が軸心孔５２１から抜けると電源がＯＦＦとなりＬＥＤが消灯する。電源のＯＮ／ＯＦＦの操作は、内筒１１から突出したスイッチ５１１を指でＡホルダー５１を外筒１１内で前後に摺動させることにより行う。
【００３４】
本実施の形態による口腔鏡によれば、口腔内にある挿入鏡２に直接触れることなく、所望の位置を映すべく容易に仰角調整を行うことができる。
【産業上の利用可能性】
【００３５】
本発明に係る口腔鏡によれば、別途手鏡を用意することなく、また、鏡の前に位置することなく、挿入鏡面に映る自身の口腔内の反射像を、反射鏡によって自ら視認できる。よって、常日頃から自然と自身の口腔内の様子を検診する習慣がつき、虫歯や口腔内の病気に迅速な対応が可能になるという、極めて有用な口腔鏡を提供することができる。
【図面の簡単な説明】
【００３６】
【図１】本発明の口腔鏡を示す斜視図である。
【図２】ジョイント部を示す断面図である。
【図３】自在連結部を示す説明図である。
【図４】電源部の説明図である。
【図５】伸縮目盛・回転目盛を示した説明図である。
【図６】本発明の異なる実施形態の口腔鏡を示す斜視図である。
【符号の説明】
【００３７】
１      アーム
１１    外筒
１１１  キャップ
１２    内筒
１２１  キャップ
１３    ジョイント部
２      挿入鏡
２１    支持軸
２１１  自在連結部
２２    調整ツマミ
２３    補助軸
２３１  補助軸受
２４    補助軸係合部
２５    角度調整手段
２６    調整ツマミ
３      反射鏡
３１    支持手段
３１１  自在連結部
４      発光手段
５      電源部
５１    Ａホルダー
５１１  スイッチ
５１２  電池
５１３  軸芯
５２    Ｂホルダー
５２１  軸芯孔
５３    Ｃホルダー
Ｓ      切れ込み
【図１】
2008220606.tif 000003
【図２】
2008220606.tif 000004
【図３】
2008220606.tif 000005
【図４】
2008220606.tif 000006
【図５】
2008220606.tif 000007
【図６】
2008220606.tif 000008